(57)【要約】【課題】発光素子の消費電力を低減し、かつ発光素子の寿命を長くすることができるディスク装置を提供する。【解決手段】ディスク装置１００は、レーザ光を出射するＬＤと、レーザ光がディスクメディアＡで反射された反射光を受光して反射光の光量に応じた振幅の電気信号に変換するＰＤとを有する光ピックアップ２と、光ピックアップ２にＬＤの駆動電流を供給するＬＤ駆動回路７と、電気信号から比較用信号を検出する信号検出回路３と、比較用信号の振幅を振幅基準値と比較し、比較用信号の振幅が振幅基準値よりも大きい場合、駆動電流の減少をＬＤ駆動回路７に指示して比較用信号の振幅を振幅基準値に近づける判断部６とを備える。【選択図】図１
2016110673.tif 000002
【特許請求の範囲】
【請求項１】
レーザ光を出射する発光素子と、該レーザ光がディスクメディアで反射された反射光を受光して該反射光の光量に応じた振幅の電気信号に変換する受光素子とを有する光ピックアップと、
前記光ピックアップに前記発光素子の駆動電流を供給する駆動回路と、
前記電気信号から比較用信号を検出する信号検出回路と、
前記比較用信号の振幅を振幅基準値と比較し、前記比較用信号の振幅が前記振幅基準値よりも大きい場合、前記駆動電流の減少を前記駆動回路に指示して前記比較用信号の振幅を前記振幅基準値に近づける判断部と、
を備えるディスク装置。
【請求項２】
前記判断部は、前記比較用信号の振幅が前記振幅基準値よりも小さい場合、前記駆動電流の増加を前記駆動回路に指示して前記比較用信号の振幅を前記振幅基準値に近づけることを特徴とする請求項１記載のディスク装置。
【請求項３】
前記電気信号の振幅を増幅するヘッドアンプを備え、
前記判断部は、前記比較用信号の振幅が前記振幅基準値よりも小さい場合、ゲインの増加を前記ヘッドアンプに指示して前記比較用信号の振幅を前記振幅基準値に近づけることを特徴とする請求項１記載のディスク装置。
【請求項４】
前記比較用信号は、前記ディスクメディアから読み取った情報を示すデータ用信号であることを特徴とする請求項１から請求項３のうちのいずれか１項記載のディスク装置。
【請求項５】
前記比較用信号は、前記光ピックアップのサーボ制御に用いるフォーカスエラー信号又はトラッキングエラー信号であることを特徴とする請求項１から請求項３のうちのいずれか１項記載のディスク装置。
【発明の詳細な説明】
【技術分野】
【０００１】
本発明は、光ディスク又は光磁気ディスクなどのディスクメディアに記録された情報を再生するディスク装置に関するものである。
【背景技術】
【０００２】
従来、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）又はＢＤ（Ｂｌｕ−ｒａｙ  Ｄｉｓｃ，登録商標）などの光ディスクに記録された映像又は音声などの情報を再生するディスク装置が開発されている。ディスク装置は、光ディスクにレーザ光を出射するＬＤ（Ｌａｓｅｒ  Ｄｉｏｄｅ）などの発光素子と、レーザ光が光ディスクで反射された反射光を受光して、反射光の光量に応じた振幅の電気信号に変換する受光回路とを有している。
【０００３】
光ディスクのレーザ光の反射率は、製造誤差などにより個々の光ディスクごとに異なる。一般に、ディスク装置はＬＤの出射光量を一定の光量に設定しているため、反射光の光量が個々の光ディスクごとに異なる。しかしながら、光ディスクに記録された情報を正常に読み取るためには、反射光を変換した電気信号の振幅がある一定の振幅であることが求められる。そこで、従来のディスク装置は、受光回路に設けたアンプのゲインを変化させることで、各々の光ディスクで反射された反射光を変換した電気信号の振幅を一定の振幅に近づけている。
【０００４】
従来のディスク装置は、ＬＤの出射光量を一定の光量に設定しているため、ＬＤの消費電流を低減したり、ＬＤの寿命を長くしたりするのが難しい問題があった。これに対し、特許文献１及び特許文献２には、ＬＤの出射光量を変化させるディスク装置が開示されている。
【０００５】
特許文献１のディスク再生装置は、光ディスクのメディア領域ごとにＬＤの出射光量を変化させている。特許文献１のディスク再生装置は、特にプリピットエリアに対するＬＤの出射光量を下げることで、ＬＤの消費電流を低減している。
【０００６】
特許文献２のディスク記録装置は、反射光を変換した電気信号から取得したＴＥ（Ｔｒａｃｋｉｎｇ  Ｅｒｒｏｒ）信号の振幅に応じて、記録用のＬＤの出射光量を制御している。特許文献２のディスク記録装置は、制御後のＴＥ信号の最大値（Ｂ１）と制御前のＴＥ信号の最大値（Ａ１）との比（Ｂ１／Ａ１）が閾値を超える場合にＬＤの出射光量を抑制することで、光ディスクの記録品質を安定させている。
【先行技術文献】
【特許文献】
【０００７】
【特許文献１】特開２００１−２９７４６４号公報
【特許文献２】特開２００２−１４０８１８号公報
【発明の概要】
【発明が解決しようとする課題】
【０００８】
特許文献１のディスク再生装置は、個々の光ディスクごとに異なる反射率については考慮していない。例えば、光ディスクの反射率が標準値よりも高い場合、レコーダブルエリアなどのプリピットエリア外の領域に対してもＬＤの出射光量を下げたほうが好ましいと考えられる。しかしながら、特許文献１のディスク再生装置は、このような場合にＬＤの出射光量を下げないため、ＬＤで無駄な電力が消費されたり、ＬＤの寿命が短くなったりする課題があった。
【０００９】
特許文献２のディスク記録装置は、光ディスクの記録品質が安定するようにＬＤの出射光量を制御するものであり、ＬＤの消費電力の低減を目的としてＬＤの出射光量を制御するものではない。このため、ＬＤの消費電力を低減したり、ＬＤの寿命を長くしたりすることができない課題があった。
【００１０】
本発明は、上記のような課題を解決するためになされたものであり、発光素子の消費電力を低減し、かつ発光素子の寿命を長くすることができるディスク装置を提供することを目的とする。
【課題を解決するための手段】
【００１１】
本発明のディスク装置は、レーザ光を出射する発光素子と、レーザ光がディスクメディアで反射された反射光を受光して反射光の光量に応じた振幅の電気信号に変換する受光素子とを有する光ピックアップと、光ピックアップに発光素子の駆動電流を供給する駆動回路と、電気信号から比較用信号を検出する信号検出回路と、比較用信号の振幅を振幅基準値と比較し、比較用信号の振幅が振幅基準値よりも大きい場合、駆動電流の減少を駆動回路に指示して比較用信号の振幅を振幅基準値に近づける判断部と、を備えるものである。
【発明の効果】
【００１２】
本発明のディスク装置は、上記のように構成したので、ディスクメディアの反射率が高い場合に発光素子の出射光量を減少させて、発光素子の消費電力を低減し、かつ発光素子の寿命を長くすることができる。
【図面の簡単な説明】
【００１３】
【図１】本発明の実施の形態１のディスク装置の要部を示すブロック図である。
【図２】本発明の実施の形態１のディスク装置の動作を示すフローチャートである。
【図３】本発明の実施の形態１のディスク装置の他の動作を示すフローチャートである。
【図４】一般的なＬＤの駆動電流に対する出射光量を示す特性図である。
【図５】本発明の実施の形態１のデータ用信号の波形の一例を示す説明図である。
【図６】本発明の実施の形態１のサーボ用信号の波形の一例を示す説明図である。
【図７】本発明の実施の形態２のディスク装置の要部を示すブロック図である。
【図８】本発明の実施の形態２のディスク装置の動作を示すフローチャートである。
【図９】本発明の実施の形態２のディスク装置の他の動作を示すフローチャートである。
【図１０】本発明の実施の形態３のディスク装置の要部を示すブロック図である。
【図１１】本発明の実施の形態３のディスク装置の動作を示すフローチャートである。
【図１２】本発明の実施の形態３のディスク装置の他の動作を示すフローチャートである。
【発明を実施するための形態】
【００１４】
実施の形態１．
図１は、実施の形態１のディスク装置の要部のブロック図を示している。図１を参照して、実施の形態１のディスク装置１００について説明する。
ディスクメディアＡは、例えば、図示しない挿入口からディスク装置１００の図示しない筐体内に挿入されたＣＤ、ＤＶＤ又はＢＤなどの光ディスクである。ディスクメディアＡには、映像又は音声などの情報が記録されている。
【００１５】
スピンドルモータ１は、ディスクメディアＡを回転させるモータである。
【００１６】
光ピックアップ２は、ディスクメディアＡにレーザ光を出射する発光素子を有している。また、光ピックアップ２は、ディスクメディアＡで反射された反射光を受光して、反射光の光量に応じた振幅の電気信号に変換する受光素子を有している。光ピックアップ２は、受光素子で変換した電気信号を信号検出回路３に出力するようになっている。
【００１７】
光ピックアップ２の発光素子は、例えばＬＤなどで構成されている。光ピックアップ２の受光素子は、例えばＰＤ（Ｐｈｏｔｏｄｉｏｄｅ）などで構成されている。以下、光ピックアップ２の発光素子がＬＤで構成されており、受光素子がＰＤで構成されている例について説明する。ＬＤは、ＬＤ駆動回路７から供給される駆動電流を受けてレーザ光を出射する。駆動電流が大きいほどレーザ光の出射光量も大きくなる。
【００１８】
信号検出回路３は、光ピックアップ２が出力した電気信号から、ＲＦ（Ｒａｄｉｏ  Ｆｒｅｑｕｅｎｃｙ）信号などのディスクメディアＡから読み取った情報を示す信号（以下「データ用信号」という）を検出するものである。また、信号検出回路３は、光ピックアップ２が出力した電気信号から、ＦＥ（Ｆｏｃｕｓ  Ｅｒｒｏｒ）信号及びＴＥ信号などの光ピックアップ２のサーボ制御に用いる信号（以下「サーボ用信号」という）を検出するものである。
【００１９】
信号検出回路３は、検出したデータ用信号を再生処理部４に出力するようになっている。また、信号検出回路３は、検出したサーボ用信号をサーボ処理部５に出力するようになっている。さらに、信号検出回路３は、検出したデータ用信号及びサーボ用信号に含まれる少なくとも１つの信号を比較用信号として判断部６に出力するようになっている。
【００２０】
再生処理部４は、信号検出回路３が出力したデータ用信号を映像信号又は音声信号に変換するものである。再生処理部４で変換された映像信号は、図示しない表示部に出力され、映像として再生される。また、再生処理部４で変換された音声信号は、図示しないスピーカに出力され、音声として再生される。
【００２１】
サーボ処理部５は、信号検出回路３が出力したサーボ用信号を用いて、サーボ機構９に光ピックアップ２のサーボ制御を実行させるものである。すなわち、サーボ処理部５は、信号検出回路３が出力したＦＥ信号を用いて、ＬＤが出射したレーザ光の焦点がディスクメディアＡの情報記録面に合うように、サーボ機構９にフォーカス引き込みを実行させる。また、サーボ処理部５は、信号検出回路３が出力したＴＥ信号を用いて、ＬＤが出射したレーザ光がディスクメディアＡのデータトラックに追従するように、サーボ機構９にトラッキング引き込みを実行させる。
【００２２】
判断部６は、信号検出回路３が出力した比較用信号の振幅を予め設定された振幅基準値と比較して、比較用信号の振幅と振幅基準値との大小を判断するものである。ＲＦ信号と比較する振幅基準値は、例えば、再生処理部４でＲＦ信号を正常に処理できる最大振幅と略等しい値に設定されている。ＴＥ信号と比較する振幅基準値は、例えば、サーボ処理部５でＴＥ信号を正常に処理できる最大振幅と略等しい値に設定されている。ＦＥ信号と比較する振幅基準値は、例えば、サーボ処理部５でＦＥ信号を正常に処理できる最大振幅と略等しい値に設定されている。
【００２３】
この振幅基準値は、上限値と下限値間の幅を有するものであっても良い。比較用信号の振幅が上限値を超えている場合、判断部６は比較用信号の振幅が振幅基準値よりも大きいと判断する。比較用信号の振幅が下限値未満である場合、判断部６は比較用信号の振幅が振幅基準値よりも小さいと判断する。比較用信号の振幅が下限値以上かつ上限値以下である場合、判断部６は比較用信号の振幅が振幅基準値と同等であると判断する。
【００２４】
また、判断部６は、比較用信号の振幅が振幅基準値よりも大きいと判断した場合、光ピックアップ２にＬＤの駆動電流を供給するＬＤ駆動回路７に、駆動電流の減少を指示するようになっている。判断部６は、比較用信号の振幅が振幅基準値よりも小さいと判断した場合、ＬＤ駆動回路７に駆動電流の増加を指示するようになっている。
【００２５】
ここで、判断部６がＬＤ駆動回路７に指示する１回当たりの駆動電流の増加幅及び減少幅は、駆動電流の減少及び増加による比較用信号の振幅の変化幅が、振幅基準値の上限値と下限値間の幅よりも狭くなるような一定の幅に設定されている。
【００２６】
なお、判断部６は、比較用信号の振幅が振幅基準値と同等であると判断した場合、ＬＤ駆動回路７に駆動電流の増減を指示しないようになっている。
【００２７】
信号検出回路３、再生処理部４、サーボ処理部５、判断部６及びＬＤ駆動回路７は、例えば専用の集積回路などで構成されている。スピンドルモータ１、光ピックアップ２、信号検出回路３、再生処理部４、サーボ処理部５、判断部６、ＬＤ駆動回路７及びサーボ機構９により、ディスク装置１００が構成されている。
【００２８】
次に、図２のフローチャートを参照して、判断部６がサーボ用信号を用いてＬＤの駆動電流を制御する動作について説明する。ここで、初期状態において、ディスク装置１００にはディスクメディアＡが予め挿入されているものとする。サーボ処理部５は、信号検出回路３が出力したＦＥ信号を用いて、サーボ機構９にフォーカス引き込みを実行させている。信号検出回路３は、ＦＥ信号を比較用信号として判断部６に出力している。
【００２９】
まず、ステップＳＴ１にて、判断部６は、比較用信号であるＦＥ信号の入力を受け付ける。
【００３０】
次いで、ステップＳＴ２，ＳＴ３にて、判断部６は、ＦＥ信号の振幅を振幅基準値と比較して、ＦＥ信号の振幅と振幅基準値との大小を判断する。
【００３１】
ＦＥ信号の振幅が振幅基準値よりも大きいと判断した場合（ステップＳＴ２“ＹＥＳ”）、次いで、ステップＳＴ４にて、判断部６は、ＬＤ駆動回路７にＬＤの駆動電流の減少を指示する。
【００３２】
一方、ＦＥ信号の振幅が振幅基準値よりも小さいと判断した場合（ステップＳＴ２“ＮＯ”かつステップＳＴ３“ＹＥＳ”）、次いで、ステップＳＴ５にて、判断部６は、ＬＤ駆動回路７にＬＤの駆動電流の増加を指示する。
【００３３】
ステップＳＴ４，ＳＴ５の処理の後、判断部６はステップＳＴ１の処理に戻る。なお、ＦＥ信号の振幅が振幅基準値と同等であると判断した場合（ステップＳＴ２“ＮＯ”かつステップＳＴ３“ＮＯ”）、判断部６はＬＤ駆動回路７に駆動電流の増減を指示せず、処理を終了する。
【００３４】
なお、ステップＳＴ２とステップＳＴ３の順番は入れ替えても良い。
【００３５】
また、サーボ処理部５がＴＥ信号を用いてサーボ機構９にトラッキング引き込みを実行させているときに、信号検出回路３がＴＥ信号を比較用信号として判断部６に出力し、判断部６がＴＥ信号を用いて同様にＬＤの駆動電流を制御するものとしても良い。
【００３６】
また、ディスク装置１００が、フォーカス引き込みを実行し、次いでトラッキング引き込みを実行する構成である場合、判断部６は、フォーカス引き込み時にＦＥ信号を用いて駆動電流を制御し、かつ、トラッキング引き込み時にＴＥ信号を用いて駆動電流を制御するものとしても良い。あるいは、判断部６は、ＦＥ信号を用いた駆動電流の制御と、ＴＥ信号を用いた駆動電流の制御とのいずれか一方のみを実行するものとしても良い。
【００３７】
次に、図３のフローチャートを参照して、判断部６がデータ用信号を用いてＬＤの駆動電流を制御する動作について説明する。ここで、初期状態において、ディスク装置１００にはディスクメディアＡが予め挿入されているものとする。ディスク装置１００は、ディスクメディアＡに記録された情報の再生を開始している。信号検出回路３は、ＲＦ信号を比較用信号として判断部６に出力している。
【００３８】
まず、ステップＳＴ１１にて、判断部６は、比較用信号であるＲＦ信号の入力を受け付ける。
【００３９】
次いで、ステップＳＴ１２，ＳＴ１３にて、判断部６は、ＲＦ信号の振幅を振幅基準値と比較して、ＲＦ信号の振幅と振幅基準値との大小を判断する。
【００４０】
ＲＦ信号の振幅が振幅基準値よりも大きいと判断した場合（ステップＳＴ１２“ＹＥＳ”）、判断部６は、図２と同様のステップＳＴ４の処理を実行する。一方、ＲＦ信号の振幅が振幅基準値よりも小さいと判断した場合（ステップＳＴ１２“ＮＯ”かつステップＳＴ１３“ＹＥＳ”）、判断部６は、図２と同様のステップＳＴ５の処理を実行する。ＲＦ信号の振幅が振幅基準値と同等であると判断した場合（ステップＳＴ１２“ＮＯ”かつステップＳＴ１３“ＮＯ”）、判断部６はＬＤ駆動回路７に駆動電流の増減を指示せず、処理を終了する。
【００４１】
なお、ディスク装置１００が、フォーカス引き込みを実行し、次いでトラッキング引き込みを実行し、次いでディスクメディアＡに記録された情報の再生を開始する構成である場合、判断部６は、フォーカス引き込み時にＦＥ信号を用いて駆動電流を制御するとともに、トラッキング引き込み時にＴＥ信号を用いて駆動電流を制御し、かつ、情報の再生を開始したときにＲＦ信号を用いて駆動電流を制御するものとしても良い。あるいは、判断部６は、ＦＥ信号を用いた駆動電流の制御と、ＴＥ信号を用いた駆動電流の制御と、ＲＦ信号を用いた駆動電流の制御とのうち、いずれか１つまたは２つの制御のみを実行するものとしても良い。
【００４２】
また、判断部６は、比較用信号の振幅と振幅基準値との大小を判断するとともに、比較用信号の振幅と振幅基準値との差分を算出するものとしても良い。この場合、判断部６は、ＬＤ駆動回路７に指示する駆動電流の増加幅及び減少幅を、算出した差分に応じた幅に設定する。これにより、図２のステップＳＴ１〜ＳＴ５の処理を繰り返す回数及び図３のステップＳＴ１１〜ＳＴ１３，ＳＴ４，ＳＴ５の処理を繰り返す回数を低減して、より短時間で比較用信号の振幅を振幅基準値に近づけることができる。
【００４３】
次に、図４〜図６を参照して、ディスク装置１００の効果について説明する。
図４は、一般的なＬＤの駆動電流に対する出射光量の特性図を示している。ＬＤ駆動回路７は、光ピックアップ２のＬＤの駆動電流を、駆動電流の増加に応じて出射光量がリニアに増加する範囲（例えば図中楕円Ｉで示す範囲）内で増減させるようになっている。また、ディスク装置１００にディスクメディアＡが挿入されたとき、ＬＤの駆動電流の初期値は図中点ＩＩで示す値に設定される。
【００４４】
図５は、ＬＤの駆動電流が初期値に設定されている場合の、ＲＦ信号の波形の例を示している。ＲＦ信号は、例えば、ディスクメディアＡに記録されているデジタルデータが「１」を示す場合にハイレベルとなり、「０」を示す場合にローレベルとなる。一般に、ディスクメディアＡの反射率が高いほど出射光量に対する反射光量が多く、ＰＤで光電変換した電気信号の振幅も大きいため、ＲＦ信号の振幅も大きい。また、ディスクメディアＡの反射率が低いほど出射光量に対する反射光量が少なく、ＰＤで光電変換した電気信号の振幅も小さいため、ＲＦ信号の振幅も小さい。
【００４５】
反射率が標準値のディスクメディアＡが挿入された場合、ＲＦ信号の振幅は、図５（ｂ）に示す如く振幅基準値と同等の振幅になる。反射率が標準値よりも高いディスクメディアＡが挿入された場合、ＲＦ信号の振幅は、図５（ａ）に示す如く振幅基準値よりも大きくなる。反射率が標準値よりも低いディスクメディアＡが挿入された場合、ＲＦ信号の振幅は、図５（ｃ）に示す如く振幅基準値よりも小さくなる。
【００４６】
実施の形態１のディスク装置１００は、ＲＦ信号の振幅が振幅基準値より大きい場合、ＬＤの駆動電流を減少させる。これにより、反射率の高いディスクメディアＡが挿入された場合に、ＲＦ信号の振幅を図５（ａ）に示す振幅から図５（ｂ）に示す振幅に近づけることができる。また、ディスク装置１００は、ＲＦ信号の振幅が振幅基準値より小さい場合、ＬＤの駆動電流を増加させる。これにより、反射率の低いディスクメディアＡが挿入された場合に、ＲＦ信号の振幅を図５（ｃ）に示す振幅から図５（ｂ）に示す振幅に近づけることができる。
【００４７】
図６は、ＬＤの駆動電流が初期値に設定されている場合の、ＦＥ信号及びＴＥ信号の波形の一例を示している。ＦＥ信号及びＴＥ信号は、一般に正弦波状の波形となる。一般に、ディスクメディアＡの反射率が高いほど出射光量に対する反射光量が多く、ＰＤで光電変換した電気信号の振幅も大きいため、ＦＥ信号及びＴＥ信号の振幅も大きい。また、ディスクメディアＡの反射率が低いほど出射光量に対する反射光量が少なく、ＰＤで光電変換した電気信号の振幅も小さいため、ＦＥ信号及びＴＥ信号の振幅も小さい。
【００４８】
反射率が標準値のディスクメディアＡが挿入された場合、ＦＥ信号及びＴＥ信号の振幅は、図６（ｂ）に示す如く振幅基準値と同等の振幅になる。反射率が標準値よりも高いディスクメディアＡが挿入された場合、ＦＥ信号及びＴＥ信号の振幅は、図６（ａ）に示す如く振幅基準値よりも大きくなる。反射率が標準値よりも低いディスクメディアＡが挿入された場合、ＦＥ信号及びＴＥ信号の振幅は、図６（ｃ）に示す如く振幅基準値よりも小さくなる。
【００４９】
実施の形態１のディスク装置１００は、ＦＥ信号及びＴＥ信号の振幅が振幅基準値より大きい場合、ＬＤの駆動電流を減少させる。これにより、反射率の高いディスクメディアＡが挿入された場合に、ＦＥ信号及びＴＥ信号の振幅を図６（ａ）に示す振幅から図６（ｂ）に示す振幅に近づけることができる。また、ディスク装置１００は、データ信号の振幅が振幅基準値より小さい場合、ＬＤの駆動電流を増加させる。これにより、反射率の低いディスクメディアＡが挿入された場合に、ＦＥ信号及びＴＥ信号の振幅を図６（ｃ）に示す振幅から図６（ｂ）に示す振幅に近づけることができる。
【００５０】
以上のように、実施の形態１のディスク装置１００は、レーザ光を出射するＬＤと、レーザ光がディスクメディアＡで反射された反射光を受光して反射光の光量に応じた振幅の電気信号に変換するＰＤとを有する光ピックアップ２と、光ピックアップ２にＬＤの駆動電流を供給するＬＤ駆動回路７と、電気信号から比較用信号を検出する信号検出回路３と、比較用信号の振幅を振幅基準値と比較し、比較用信号の振幅が振幅基準値よりも大きい場合、駆動電流の減少をＬＤ駆動回路７に指示して比較用信号の振幅を振幅基準値に近づける判断部６とを備える。
比較用信号の振幅が振幅基準値よりも大きい場合に比較用信号の振幅が振幅基準値に近づくようにＬＤの駆動電流を減少させることで、ディスクメディアＡの反射率が高い場合にＬＤの出射光量を減少させて、ＬＤの消費電力を低減することができ、かつＬＤの寿命を長くすることができる。
【００５１】
また、判断部６は、比較用信号の振幅が振幅基準値よりも小さい場合、駆動電流の増加をＬＤ駆動回路７に指示して比較用信号の振幅を振幅基準値に近づける。これにより、受光回路のアンプを不要として、ディスク装置１００を小型かつ安価に構成することができる。
【００５２】
また、比較用信号は、ディスクメディアＡから読み取った情報を示すＲＦ信号である。あるいは、比較用信号は、光ピックアップ２のサーボ制御に用いるＦＥ信号又はＴＥ信号である。
ＲＦ信号、ＦＥ信号又はＴＥ信号と異なる専用の信号を比較用信号に用いた場合、受光回路に比較用信号を取得するための受光素子、スプリッタ又はプリズムなどを追加する必要がある。これに対し、ＲＦ信号、ＦＥ信号又はＴＥ信号を比較用信号に用いることで、受光素子、スプリッタ又はプリズムなどを追加する必要がないので、ディスク蔵置１００の大型化及び高コスト化を避けることができる。
【００５３】
なお、ディスク装置１００は、ディスクメディアに記録された情報を再生するディスク再生装置に限定されるものではない。ディスクメディアに情報を記録する機能を追加したディスク再生記録装置であっても良い。
【００５４】
また、ディスク装置１００が情報を再生するディスクメディアは、ＣＤ、ＤＶＤ又はＢＤなどの光ディスクに限定されるものではない。情報記録面にレーザ光を照射することで情報を読み取るものであれば良く、ＭＤ（Ｍｉｎｉ  Ｄｉｓｃ，登録商標）などの光磁気ディスクであっても良い。
【００５５】
実施の形態２．
図７は、実施の形態２のディスク装置の要部のブロック図を示している。図７を参照して、ヘッドアンプ８を設けることでＬＤの消費電力をさらに低減したディスク装置１００ａについて説明する。なお、図７において、図１に示す実施の形態１のブロック図と同様の構成部材には同一符号を付して説明を省略する。
【００５６】
ヘッドアンプ８は、光ピックアップ２が出力した電気信号の振幅を増幅するアンプである。信号検出回路３は、ヘッドアンプ８で増幅された電気信号からデータ用信号及びサーボ用信号を検出するようになっている。
【００５７】
ここで、ヘッドアンプ８のゲインは、反射率が標準値よりも低いディスクメディアＡが初期値の出射光量のレーザ光を反射した場合の比較用信号の振幅が、振幅基準値と同等の振幅になる程度に高い値に固定されている。
【００５８】
判断部６ａは、信号検出回路３が出力した比較用信号の振幅を振幅基準値と比較して、比較用信号の振幅が振幅基準値よりも大きいか否かを判断するものである。判断部６ａは、比較用信号の振幅が振幅基準値よりも大きいと判断した場合、ＬＤ駆動回路７にＬＤの駆動電流の減少を指示するようになっている。なお、判断部６ａは、比較用信号の振幅が振幅基準値よりも大きくないと判断した場合、ＬＤ駆動回路７に駆動電流の増減を指示しないようになっている。
【００５９】
次に、図８のフローチャートを参照して、判断部６ａがサーボ用信号を用いてＬＤの駆動電流を制御する動作について説明する。なお、図８において、図２に示す実施の形態１のフローチャートと同様のステップには同一符号を付して説明を省略する。
【００６０】
まず、判断部６ａは、実施の形態１と同様のステップＳＴ１，ＳＴ２の処理を実行する。
【００６１】
ＦＥ信号の振幅が振幅基準値よりも大きいと判断した場合（ステップＳＴ２“ＹＥＳ”）、判断部６ａは実施の形態１と同様のステップＳＴ４の処理を実行する。
【００６２】
ここで、ＦＥ信号の振幅が振幅基準値よりも大きくないと判断した場合（ステップＳＴ２“ＮＯ”）、判断部６ａはＬＤ駆動回路７に駆動電流の増減を指示せず、処理を終了する。
【００６３】
ヘッドアンプ８のゲインが十分に高い値に固定されているため、ＬＤの駆動電流が初期値に設定された状態において、反射率が標準値よりも低いディスクメディアＡが挿入された場合であっても、ＬＤの駆動電流を変化させることなくＦＥ信号の振幅が振幅基準値と同等になる。また、反射率が標準値のディスクメディアＡ又は反射率が標準値よりも高いディスクメディアＡが挿入された場合、ＦＥ信号の振幅は振幅基準値よりも大きくなるため、ＬＤの駆動電流を減少させる処理のみでＦＥ信号の振幅を振幅基準値に近づけることができる。
【００６４】
なお、判断部６ａは、トラッキング引き込み時にＴＥ信号を用いてＬＤの駆動電流を制御するものとしても良い。
【００６５】
次に、図９のフローチャートを参照して、判断部６ａがデータ用信号を用いてＬＤの駆動電流を制御する動作について説明する。なお、図９において、図３に示す実施の形態１のフローチャートと同様のステップには同一符号を付して説明を省略する。
【００６６】
まず、判断部６ａは、実施の形態１と同様のステップＳＴ１１，ＳＴ１２の処理を実行する。
【００６７】
ＲＦ信号の振幅が振幅基準値よりも大きいと判断した場合（ステップＳＴ１２“ＹＥＳ”）、判断部６ａは図８と同様のステップＳＴ４の処理を実行する。
【００６８】
ここで、ＲＦ信号の振幅が振幅基準値よりも大きくないと判断した場合（ステップＳＴ２“ＮＯ”）、判断部６ａはＬＤ駆動回路７に駆動電流の増減を指示せず、処理を終了する。
【００６９】
ヘッドアンプ８のゲインが十分に高い値に固定されているため、ＬＤの駆動電流が初期値に設定された状態において、反射率が標準値よりも低いディスクメディアＡが挿入された場合であっても、ＬＤの駆動電流を変化させることなくＲＦ信号の振幅が振幅基準値と同等になる。また、反射率が標準値のディスクメディアＡ又は反射率が標準値よりも高いディスクメディアＡが挿入された場合、ＲＦ信号の振幅は振幅基準値よりも大きくなるため、ＬＤの駆動電流を減少させる処理のみでＲＦ信号の振幅を振幅基準値に近づけることができる。
【００７０】
以上のように、実施の形態２のディスク装置１００ａは、比較用信号の振幅を振幅基準値と比較し、比較用信号の振幅が振幅基準値よりも大きい場合、駆動電流の減少をＬＤ駆動回路７に指示して比較用信号の振幅を振幅基準値に近づける判断部６ａを有している。また、ディスク装置１００ａは、電気信号の振幅を増幅するヘッドアンプ８を有している。ヘッドアンプ８のゲインは、反射率が標準値よりも低いディスクメディアＡが初期値の出射光量のレーザ光を反射した場合の比較用信号の振幅が、振幅基準値と同等の振幅になる程度に高い値に固定されている。
これにより、ＬＤの駆動電流を初期値から変化させないか、あるいは減少させる処理のみで比較用信号の振幅を振幅基準値に近づけることができる。すなわち、ＬＤの出射光量を増加させる処理を不要にして、ＬＤの消費電力をさらに抑制することができ、またＬＤの寿命をさらに長くすることができる。
【００７１】
実施の形態３．
図１０は、実施の形態３のディスク装置の要部のブロック図を示している。図１０を参照して、ヘッドアンプ８のゲインを可変にしたディスク装置１００ｂについて説明する。なお、図１０において、図７に示す実施の形態２のブロック図と同様の構成部材には同一符号を付して説明を省略する。
【００７２】
判断部６ｂは、信号検出回路３が出力した比較用信号の振幅を振幅基準値と比較して、比較用信号の振幅と振幅基準値との大小を判断するものである。判断部６ｂは、比較用信号の振幅が振幅基準値よりも大きいと判断した場合、ＬＤ駆動回路７にＬＤの駆動電流の減少を指示するようになっている。また、判断部６ｂは、比較用信号の振幅が振幅基準値よりも小さいと判断した場合、ヘッドアンプ８にゲインの増加を指示するようになっている。
【００７３】
ここで、判断部６ｂがＬＤ駆動回路７に指示する１回当たりの駆動電流の減少幅及びヘッドアンプ８に指示する１回当たりのゲインの増加幅は、駆動電流の減少又はゲインの増加による比較用信号の振幅の変化幅が、振幅基準値の上限値と下限値間の幅よりも狭くなるような一定の幅に設定されている。
【００７４】
なお、判断部６ｂは、比較用信号の振幅が振幅基準値と同等であると判断した場合、ＬＤ駆動回路７に駆動電流の増減を指示せず、かつヘッドアンプ８にゲインの増減を指示しないようになっている。
【００７５】
次に、図１１のフローチャートを参照して、判断部６ｂがサーボ用信号を用いてＬＤの駆動電流及びヘッドアンプ８のゲインを制御する動作について説明する。なお、図１１において、図２に示す実施の形態１のフローチャートと同様のステップには同一符号を付して説明を省略する。
【００７６】
まず、判断部６ｂは、実施の形態１と同様のステップＳＴ１〜ＳＴ３の処理を実行する。
【００７７】
ＦＥ信号の振幅が振幅基準値よりも大きいと判断した場合（ステップＳＴ２“ＹＥＳ”）、判断部６ｂは実施の形態１と同様のステップＳＴ４の処理を実行する。
【００７８】
一方、ＦＥ信号の振幅が振幅基準値よりも小さいと判断した場合（ステップＳＴ２“ＮＯ”かつステップＳＴ３“ＹＥＳ”）、次いで、ステップＳＴ２１にて、判断部６ｂは、ヘッドアンプ８にゲインの増加を指示する。
【００７９】
ステップＳＴ４，ＳＴ２１の処理の後、判断部６ｂはステップＳＴ１の処理に戻る。なお、ＦＥ信号の振幅が振幅基準値と同等であると判断した場合（ステップＳＴ２“ＮＯ”かつステップＳＴ３“ＮＯ”）、判断部６ｂはＬＤ駆動回路７に駆動電流の増減を指示せず、またヘッドアンプ８にゲインの増減を指示せず、処理を終了する。
【００８０】
なお、判断部６ｂは、トラッキング引き込み時にＴＥ信号を用いて同様にＬＤの駆動電流及びヘッドアンプ８のゲインを制御するものとしても良い。
【００８１】
次に、図１２のフローチャートを参照して、判断部６ｂがデータ用信号を用いてＬＤの駆動電流及びヘッドアンプ８のゲインを制御する動作について説明する。なお、図１２において、図３に示す実施の形態１のフローチャートと同様のステップには同一符号を付して説明を省略する。
【００８２】
まず、判断部６ｂは、実施の形態１と同様のステップＳＴ１１〜ＳＴ１３の処理を実行する。
【００８３】
ＲＦ信号の振幅が振幅基準値よりも大きいと判断した場合（ステップＳＴ１２“ＹＥＳ”）、判断部６ｂは実施の形態１と同様のステップＳＴ４の処理を実行する。
【００８４】
一方、ＲＦ信号の振幅が振幅基準値よりも小さいと判断した場合（ステップＳＴ１２“ＮＯ”かつステップＳＴ１３“ＹＥＳ”）、判断部６ｂは図１１と同様のステップＳＴ２１の処理を実行する。また、ＲＦ信号の振幅が振幅基準値と同等であると判断した場合（ステップＳＴ１２“ＮＯ”かつステップＳＴ３“ＮＯ”）、判断部６ｂはＬＤ駆動回路７に駆動電流の増減を指示せず、またヘッドアンプ８にゲインの増減を指示せず、処理を終了する。
【００８５】
以上のように、実施の形態３のディスク装置１００ｂは、比較用信号の振幅を振幅基準値と比較し、比較用信号の振幅が振幅基準値よりも大きい場合、駆動電流の減少をＬＤ駆動回路７に指示して比較用信号の振幅を振幅基準値に近づける判断部６ｂを備える。また、ディスク装置１００ｂは、電気信号の振幅を増幅するヘッドアンプ８を備える。判断部６ｂは、比較用信号の振幅が振幅基準値よりも小さい場合、ゲインの増加をヘッドアンプ８に指示して比較用信号の振幅を振幅基準値に近づける。
これにより、ＬＤの駆動電流を増加させることなく比較用信号の振幅を振幅基準値に近づけることができるので、ＬＤの消費電力をさらに抑制することができ、またＬＤの寿命をさらに長くすることができる。
【００８６】
なお、判断部６ｂは、実施の形態１と同様に、比較用信号の振幅と振幅基準値との大小を判断するとともに、比較用信号の振幅と振幅基準値との差分を算出するものとしても良い。判断部６ｂは、ＬＤ駆動回路７に指示する駆動電流の減少幅及びヘッドアンプ８に指示するゲインの増加幅を、算出した差分に応じた幅に設定する。これにより、図１１のステップＳＴ１〜ＳＴ４，ＳＴ２１の処理を繰り返す回数及び図１２のステップＳＴ１１〜ＳＴ１３，ＳＴ４，ＳＴ２１の処理を繰り返す回数を低減して、より短時間で比較用信号の振幅を振幅基準値に近づけることができる。
【００８７】
また、判断部６ｂは、ヘッドアンプ８のゲインの上限値が設定され、かつＬＤの駆動電流の下限値が設定されたものとしても良い。これにより、例えばディスクメディアＡの部位ごとに反射率が異なり、比較用信号の振幅が振幅基準値よりも高い状態と低い状態とが複数回切り替わり、ヘッドアンプ８のゲインを増加させる処理とＬＤの駆動電流を減少させる処理とが交互に繰り返された場合であっても、駆動電流の下げすぎでＬＤが消灯したり、ゲインの上げすぎでヘッドアンプ８が発振したりするのを防ぐことができる。
【００８８】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００８９】
１  スピンドルモータ、２  光ピックアップ、３  信号検出回路、４  再生処理部、５  サーボ処理部、６，６ａ，６ｂ  判断部、７  ＬＤ駆動回路、８  ヘッドアンプ、９  サーボ機構、１００，１００ａ，１００ｂ  ディスク装置。
【図１】
2016110673.tif 000003
【図２】
2016110673.tif 000004
【図３】
2016110673.tif 000005
【図４】
2016110673.tif 000006
【図５】
2016110673.tif 000007
【図６】
2016110673.tif 000008
【図７】
2016110673.tif 000009
【図８】
2016110673.tif 000010
【図９】
2016110673.tif 000011
【図１０】
2016110673.tif 000012
【図１１】
2016110673.tif 000013
【図１２】
2016110673.tif 000014